(57)【要約】【課題】画像修正の指示が容易にでき、かつ画像修正が指示通りか確認しやすく、画像修正のチェック漏れがない。【解決手段】受発注システムは、ネットワーク１と、ネットワーク１に接続され、画像修正の指示の受付、画像修正の指示に基づき画像修正作業の発注及び受発注管理を行なう受発注管理者端末５と、ネットワーク１に接続され、修正注文情報を入力して画像編集画面上で画像修正の指示を行なうユーザ端末３と、ネットワーク１に接続され、画像編集画面上での画像修正の指示に基づき画像修正を行なう作業者端末４とを有する。【選択図】図２
2004266308.tif 000002
【特許請求の範囲】
【請求項１】
ネットワークと、
前記ネットワークに接続され、画像修正の指示の受付、前記画像修正の指示に基づき画像修正作業の発注及び受発注管理を行なう受発注管理者端末と、
前記ネットワークに接続され、前記修正注文情報を入力して画像編集画面上で画像修正の指示を行なうユーザ端末と、
前記ネットワークに接続され、前記画像編集画面上での画像修正の指示に基づき前記画像修正を行なう作業者端末と、を有することを特徴とする受発注システム。
【請求項２】
前記画像編集画面上での画像修正の指示は、前記画像上の別のレイヤーに書き込まれることを特徴とする請求項１に記載の受発注システム。
【請求項３】
前記画像修正の指示は、文字入力によることを特徴とする請求項１または請求項２に記載の受発注システム。
【請求項４】
前記画像修正の指示は、メニュー選択によることを特徴とする請求項１または請求項２に記載の受発注システム。
【請求項５】
前記画像修正の指示別に前記画像を切り分けて修正を発注することを特徴とする請求項１乃至請求項４のいずれか１項に記載の受発注システム。
【請求項６】
前記画像修正の指示毎に修正見積金額を表示することを特徴とする請求項１乃至請求項５のいずれか１項に記載の受発注システム。
【請求項７】
前記画像修正の種類別に修正の進行状況を表示することを特徴とする請求項１乃至請求項６のいずれか１項に記載の受発注システム。
【請求項８】
前記画像修正の指示のレイヤー、修正後の画像のレイヤー、元の画像のレイヤーの少なくとも１つを、表示、非表示、半透明表示の少なくとも２つの状態に切り替え可能にして表示することを特徴とする請求項１乃至請求項７のいずれか１項に記載の受発注システム。
【請求項９】
ユーザ端末から画像と画像の修正注文情報を入力して画像編集画面上で画像修正の指示を行ない、受発注管理者端末では前記画像修正の指示の受付、前記画像修正の指示に基づき画像修正作業の発注及び受発注管理を行ない、作業者端末では、前記画像編集画面上での前記画像修正の指示に基づき画像修正を行なうことを特徴とする受発注方法。
【請求項１０】
前記画像編集画面上での画像修正の指示は、前記画像上の別のレイヤーに書き込まれることを特徴とする請求項９に記載の受発注方法。
【請求項１１】
前記画像修正の指示は、文字入力によることを特徴とする請求項９または請求項１０に記載の受発注方法。
【請求項１２】
前記画像修正の指示は、メニュー選択によることを特徴とする請求項９または請求項１０に記載の受発注方法。
【請求項１３】
前記画像修正の指示別に前記画像を切り分けて修正を発注することを特徴とする請求項９乃至請求項１２のいずれか１項に記載の受発注方法。
【請求項１４】
前記画像修正の指示毎に修正見積金額を表示することを特徴とする請求項９乃至請求項１４のいずれか１項に記載の受発注方法。
【請求項１５】
前記画像修正の種類別に修正の進行状況を表示することを特徴とする請求項９乃至請求項１４のいずれか１項に記載の受発注方法。
【請求項１６】
前記画像修正の指示のレイヤー、修正後の画像のレイヤー、元の画像のレイヤーの少なくとも１つを、表示、非表示、半透明表示の少なくとも２つの状態に切り替え可能にして表示することを特徴とする請求項９乃至請求項１５のいずれか１項に記載の受発注方法。
【発明の詳細な説明】
【０００１】
【発明の属する技術分野】
この発明は、例えば写真画像を修正するサービスをインターネットなどのネットワークを介してユーザ（顧客）に提供する受発注システム及び受発注方法に関する。
【０００２】
【従来の技術】
近年、デジタルカメラや家庭用デジタルプリンタは、画像処理技術の向上により、めざましい勢いで普及している。それに伴い、使用しているユーザもデジタル画像に対する意識も高まり、インターネットのホームべージ作成やデジタルプリントなど様々な用途で使われてきている。一方、画像プリントサービスを行う出力センターやミニラボ（小規模現像所）や集中処理を行う大ラボなども当然、デジタル画像データを取り扱うサービスが増えてきており、そのサービスバリエーションは多岐に渡る。
【０００３】
写真に関するサービスを顧客に提供する方法として、大ラボや出力センターにスキャナやプリンターを配置し、顧客が撮影した写真画像を画像サーバに蓄積し、顧客が画像サーバにインターネットを介し、アクセスして写真の焼き増し注文や画像のアップロード、ダウンロードなどの各種サービスを提供するネットワークビジネスが提案されている（例えば特許文献１）。このネットワークビジネスの利点として、自宅に居ながらにして注文ができ、デジタル画像ならではのサービスが受けられるため、エンドユーザにとってはメリットが大きく、今後伸びていくサービスであろうと予測される。
【０００４】
【特許文献１】
特開２００１−３４６０２８号公報（第１〜第７頁、図１、図２）
【０００５】
【発明が解決しようとする課題】
このように、デジタルカメラの高性能化、低価格化により写真画像をデジタルデータとして扱うユーザが急激に増加している。また、フィルムカメラで撮影した写真をデジタルデータに変換するサービスも行われており、フィルムを現像した後、スキャナ等で読み取り、読み取った画像データをＣＤ−Ｒ等の情報記録媒体に書き込んでユーザに提供するサービスも行われている。このような、デジタルデータは家庭やオフィスにおいてインクジェットプリンタ等のプリンタで出力される他、写真店に持ち込まれ、プリントされる。
【０００６】
また、最近はＡＤＳＬ等のブロードバンドが急速に普及し、インターネットでのプリント注文も―般的になりつつある。インターネット注文ではパソコンがあればいつでもどこでも注文でき、コンビニ等の店で受け取ったり自宅等への配送もでき、写真店の閉店時間を気にする必要がないため、非常に便利である。
【０００７】
―方、画像がデジタルデータになるとその画像の一部不要部分を削除したり、赤目を修正したり、色を変えたりという修正も容易になり、そのようなサービスをインターネットで提供するサイトも出現している。更には、画像を加工してポストカードや名刺等にデザインする画像加工デザインサービスも盛んになってきている。
【０００８】
しかしながら、これまでの画像修正は、ユーザが修正注文書で修正を指示したり、メール等で指示し、この修正指示に基づいて修正作業者が行なっているが、修正の指示が画像とは別に行なわれるために面倒であり、また適切な修正の指示を行ないがたく間違いが多かった。
【０００９】
この発明は、このような課題に鑑みてなされたのものであって、画像修正の指示が容易にでき、かつ画像修正が指示通りか確認しやすく、画像修正のチェック漏れがない等の受発注システム及び受発注方法を提供することを目的としている。
【００１０】
【課題を解決するための手段】
前記課題を解決し、かつ目的を達成するために、この発明は、以下のように構成した。
【００１１】
請求項１に記載の発明は、ネットワークと、
前記ネットワークに接続され、画像修正の指示の受付、前記画像修正の指示に基づき画像修正作業の発注及び受発注管理を行なう受発注管理者端末と、
前記ネットワークに接続され、前記修正注文情報を入力して画像編集画面上で画像修正の指示を行なうユーザ端末と、
前記ネットワークに接続され、前記画像編集画面上での画像修正の指示に基づき前記画像修正を行なう作業者端末と、を有することを特徴とする受発注システムである。
【００１２】
この請求項１に記載の発明によれば、画像編集画面上で画像修正の指示を行ない、この画像編集画面上での画像修正の指示に基づき画像修正を行なうことで、画像修正の指示が容易にでき、かつ画像修正が指示通りか確認しやすく、画像修正のチェック漏れがない。
【００１３】
請求項２に記載の発明は、前記画像編集画面上での画像修正の指示は、前記画像上の別のレイヤーに書き込まれることを特徴とする請求項１に記載の受発注システムである。
【００１４】
この請求項２に記載の発明によれば、画像修正の指示が画像上の別のレイヤーに書き込まれることで、画像修正の指示が容易にでき、かつ画像修正が指示通りか確認しやすく、画像修正のチェック漏れがない。
【００１５】
請求項３に記載の発明は、前記画像修正の指示は、文字入力によることを特徴とする請求項１または請求項２に記載の受発注システムである。
【００１６】
この請求項３に記載の発明によれば、画像修正の指示が文字入力によることで、画像修正の指示が容易にできる。
【００１７】
請求項４に記載の発明は、前記画像修正の指示は、メニュー選択によることを特徴とする請求項１または請求項２に記載の受発注システムである。
【００１８】
この請求項４に記載の発明によれば、画像修正の指示がメニュー選択によることで、画像修正の指示が容易にできる。
【００１９】
請求項５に記載の発明は、前記画像修正の指示別に前記画像を切り分けて修正を発注することを特徴とする請求項１乃至請求項４のいずれか１項に記載の受発注システムである。
【００２０】
この請求項５に記載の発明によれば、画像修正の指示別に画像を切り分けて修正を発注することで、受注作業者の処理能力や熟練度等に応じて発注することができる。
【００２１】
請求項６に記載の発明は、前記画像修正の指示毎に修正見積金額を表示することを特徴とする請求項１乃至請求項５のいずれか１項に記載の受発注システムである。
【００２２】
この請求項６に記載の発明によれば、画像修正の指示毎に修正見積金額を表示することで、画像修正の費用を簡単且つ確実に知ることができる。
【００２３】
請求項７に記載の発明は、前記画像修正の種類別に修正の進行状況を表示することを特徴とする請求項１乃至請求項６のいずれか１項に記載の受発注システムである。
【００２４】
この請求項７に記載の発明によれば、画像修正の種類別に修正の進行状況を表示することで、進行状況に応じた発注を行なうことができる。
【００２５】
請求項８に記載の発明は、前記画像修正の指示のレイヤー、修正後の画像のレイヤー、元の画像のレイヤーの少なくとも１つを、表示、非表示、半透明表示の少なくとも２つの状態に切り替え可能にして表示することを特徴とする請求項１乃至請求項７のいずれか１項に記載の受発注システムである。
【００２６】
この請求項８に記載の発明によれば、画像修正に関するレイヤーを、表示、非表示、半透明表示の少なくとも２つの状態に切り替え可能にして表示することで、画像修正の指示が容易にでき、かつ画像修正が指示通りか確認しやすく、画像修正のチェック漏れがない。
【００２７】
請求項９に記載の発明は、ユーザ端末から画像と画像の修正注文情報を入力して画像編集画面上で画像修正の指示を行ない、受発注管理者端末では前記画像修正の指示の受付、前記画像修正の指示に基づき画像修正作業の発注及び受発注管理を行ない、作業者端末では、前記画像編集画面上での前記画像修正の指示に基づき画像修正を行なうことを特徴とする受発注方法である。
【００２８】
この請求項９に記載の発明によれば、画像編集画面上で画像修正の指示を行ない、この画像編集画面上での画像修正の指示に基づき画像修正を行なうことで、画像修正の指示が容易にでき、かつ画像修正が指示通りか確認しやすく、画像修正のチェック漏れがない。
【００２９】
請求項１０に記載の発明は、前記画像編集画面上での画像修正の指示は、前記画像上の別のレイヤーに書き込まれることを特徴とする請求項９に記載の受発注方法である。
【００３０】
この請求項１０に記載の発明によれば、画像修正の指示が画像上の別のレイヤーに書き込まれることで、画像修正の指示が容易にでき、かつ画像修正が指示通りか確認しやすく、画像修正のチェック漏れがない。
【００３１】
請求項１１に記載の発明は、前記画像修正の指示は、文字入力によることを特徴とする請求項９または請求項１０に記載の受発注方法である。
【００３２】
この請求項１１に記載の発明によれば、画像修正の指示が文字入力によることで、画像修正の指示が容易にできる。
【００３３】
請求項１２に記載の発明は、前記画像修正の指示は、メニュー選択によることを特徴とする請求項９または請求項１０に記載の受発注方法である。
【００３４】
この請求項１２に記載の発明によれば、画像修正の指示がメニュー選択によることで、画像修正の指示が容易にできる。
【００３５】
請求項１３に記載の発明は、前記画像修正の指示別に前記画像を切り分けて修正を発注することを特徴とする請求項９乃至請求項１２のいずれか１項に記載の受発注方法である。
【００３６】
この請求項１３に記載の発明によれば、画像修正の指示別に画像を切り分けて修正を発注することで、受注作業者の処理能力や熟練度等に応じて発注することができる。
【００３７】
請求項１４に記載の発明は、前記画像修正の指示毎に修正見積金額を表示することを特徴とする請求項９乃至請求項１４のいずれか１項に記載の受発注方法である。
【００３８】
この請求項１４に記載の発明によれば、画像修正の指示毎に修正見積金額を表示することで、画像修正の費用を簡単且つ確実に知ることができる。
【００３９】
請求項１５に記載の発明は、前記画像修正の種類別に修正の進行状況を表示することを特徴とする請求項９乃至請求項１４のいずれか１項に記載の受発注方法である。
【００４０】
この請求項１５に記載の発明によれば、画像修正の種類別に修正の進行状況を表示することで、進行状況に応じた発注を行なうことができる。
【００４１】
請求項１６に記載の発明は、前記画像修正の指示のレイヤー、修正後の画像のレイヤー、元の画像のレイヤーの少なくとも１つを、表示、非表示、半透明表示の少なくとも２つの状態に切り替え可能にして表示することを特徴とする請求項９乃至請求項１５のいずれか１項に記載の受発注方法である。
【００４２】
この請求項１６に記載の発明によれば、画像修正に関するレイヤーを、表示、非表示、半透明表示の少なくとも２つの状態に切り替え可能にして表示することで、画像修正の指示が容易にでき、かつ画像修正が指示通りか確認しやすく、画像修正のチェック漏れがない。
【００４３】
【発明の実施の形態】
以下、この発明の受発注システム及び受発注方法の実施の形態を図面に基づいて説明するが、この発明は、この実施の形態に限定されない。
【００４４】
図１は受発注システムを示す図である。図１において、ネットワーク１に、受発注サーバ２、ユーザ端末３、作業者端末４、受発注管理者端末５が接続され、それぞれネットワーク１を介して通信可能となっている。
【００４５】
ネットワーク１は、コンピュータ・システム、端未、データ通信設備を相互に接続したものをいう。接続は専用回線、公衆回線のような有線で接続されていても良いし、通信衛星などを通じて無線で接続されていてもよいし、それらの複合形態で接続されていても良い。いわゆるインターネットなどもネットワークに含まれる。
【００４６】
受発注サーバ２は、ネットワーク１を介し、画像修正の指示の受付、画像修正の指示に基づき画像修正作業の発注及び受発注管理、画像閲覧、画像保管、顧客情報管理など、ネットワーク画像サービスを提供可能な機能を有する。
【００４７】
ユーザ端末３は、パーソナルコンピュータ、携帯情報端末（ＰＤＡ）、携帯電話等で文字情報と画像情報の送受信が可能な電子機器端末であればよい。パーソナルコンピュータや携帯情報端末（ＰＤＡ）では、デジタルカメラと接続したり、画像を記録した記録媒体をセットして画像の取り込みを行ない、またスキャナ等から画像の取り込みを行なうことができる。デジタルカメラを備える携帯電話では、デジタルカメラの撮像で画像の取り込みを行なうことができ、デジタルカメラを備えない携帯電話では、他の電子機器からの通信により画像を受信して画像の取り込みを行なうことができる。
【００４８】
ユーザ端末３では、画像の取り込みを行ない、修正注文情報を入力して画像編集画面上で画像修正の指示を行なう。
【００４９】
受発注管理者端末５は、画像修正の指示の受付、画像修正の指示に基づき画像修正作業の発注及び受発注管理を行なう。
【００５０】
作業者端末４は、店舗に配置され、画像編集画面上での画像修正の指示に基づき、作業画面上で画像修正を行なう。店舗とは、画像修正注文に基づき画像を画像修正できる画像形成装置を備えた、例えばラボのようなものを言うがこれに限られない。
【００５１】
次に、図２及び図３に基づいて受発注方法を説明する。図２は受発注方法を実行するフローチャート、図３はユーザ端末側、作業者端末側、受発注サーバ側間の情報の授受を示す図である。
【００５２】
ユーザは、ユーザ端末３のブラウザソフトを立ち上げ（Ｓ１）、画像修正注文サイトにアクセスする（Ｓ２）。ユーザ端末３からユーザＩＤを入力して受発注サーバ２へ送り、受発注サーバ２では予め登録されたユーザＩＤと照合して個人のユーザ認証を行なう（Ｓ３）。
【００５３】
ユーザ端末３では、受発注サーバ２からのユーザ認証を受け取り、修正注文情報の入力して画像編集画面上で画像修正の指示を行なう（Ｓ４）。
【００５４】
この画像編集画面上での画像修正の指示は、例えば画像上の別のレイヤーに書き込まれ、画像修正の指示は、文字入力による。あるいは、画像修正の指示は、メニュー選択による。
【００５５】
この画像修正の指示が特殊画像修正の処理があれば（Ｓ５）、受発注管理者は、受発注管理者端末５から受発注サーバ２を介して修正見積もりが行なわれ（Ｓ６）、通常画像修正の処理があれば規格の修正見積もりが行なわれる（Ｓ７）。
ユーザ端末３では、見積もり表示画面を閲覧可能であり（Ｓ８）、画像修正の指示毎に修正見積金額を表示することができる。ユーザは見積もり表示画面を閲覧して修正見積金額で良いかどうか判断し（Ｓ９）、見積金額にあわない場合、ステップＳ４へ移行する。見積金額で良い場合は画像修正を注文し、この注文により、受発注管理者端末５から受発注サーバ２を介して注文確認メールが配信される（Ｓ１０）。
【００５６】
受発注管理者端末５では、受発注サーバ２を介して画像の修正注文情報の受付及び受発注管理を行い、画像の修正作業の振り分けを行なわない場合は（Ｓ１１）、作業者端末４へ注文受付メールを送る。作業者が作業者端末４から作業者画面へアクセスすることで画像修正の指示に基づき画像修正作業の発注を行なう（Ｓ１２）。
【００５７】
作業者端末４から作業者画面上で、作業者は画像編集画面上での画像修正の指示に基づき画像修正を行なう（Ｓ１３）。
【００５８】
画像の修正作業の振り分けを行なう場合は、画像修正の指示別に画像を切り分けて画像修正作業の発注を行ない（Ｓ１４）。作業者端末４から作業者画面上で、作業者は画像編集画面上での画像修正の指示に基づき画像修正を行なう（Ｓ１５）。
【００５９】
画像修正作業が終了すると、作業者端末４から修正画像を受発注サーバ２へ送信し、受発注管理者端末５の合成画面で切り分け画像を合成する（Ｓ１６）。
【００６０】
受発注管理者端末５では、修正画像の閲覧が可能であり、指示通りの修正でないならばステップＳ１１へ移行する（Ｓ１７）。また作業進行表画面で画像修正の種類別に修正の進行状況を表示することができ（Ｓ１８）、修正作業完了していると次工程へ移行する（Ｓ１９）。ここで、次の工程とは、▲１▼プリント、▲２▼ユーザへの送付である。
【００６１】
また、受発注管理者端末５では、画像修正の指示のレイヤー、修正後の画像のレイヤー、元の画像のレイヤーの少なくとも１つを、表示、非表示、半透明表示の少なくとも２つの状態に切り替え可能にして表示することができる。
【００６２】
次に、図４乃至図８に基づいて、ユーザ端末３の画像編集画面上で行なう修正注文情報を入力による画像修正の指示の実施の形態について説明する。
【００６３】
図４の実施の形態では、写真画像１０ａを入力し、文字と指示線をキーボードから入力することで、赤目修正の指示▲１▼、人物切り抜き▲２▼、不要物除去▲３▼の画像修正の指示を行ない（図４（ａ））、この画像修正の指示で目標修正画像１０ｂになるようにしている（図４（ｂ））。画像修正の指示が文字入力によることで、画像修正の指示が容易にできる。
【００６４】
図５の実施の形態では、マウスで除去する画像の部分２０をドラッグし（図５（ａ））、文字をキーボードから不要物除去の指示を入力する。例えば、「この傘を取り除く」、取り除いた後で周囲と同じパターンで塗りつぶし、目立たなくするように指示する（図５（ｂ））。不要物除去の画像部分に直接指示することで、簡単かつ確実な指示ができる。
【００６５】
図６の実施の形態では、マウスの右ボタンで除去する画像の部分２０をクリックすると、メニューのダイアログ３０が開き、切り抜き、取り除き、赤目、その他の指示が表示される（図６（ａ））。カーソル３１を目的の処理に置きボタンを離すと、ダイアログが固定されて「とりのぞきます」の表示３２がでて、コメントテキスト入力カーソル３３が表示される。細かい指示、注意など必要なら記入する。記入せず他の動作をするとコメント欄は消える。この実施の形態では、画像修正の指示がメニュー選択によることで、画像修正の指示が容易にできる。
【００６６】
この画像修正の指示が画像上の別のレイヤーに書き込まれることで、画像修正の指示が容易にでき、かつ画像修正が指示通りか確認しやすく、画像修正のチェック漏れがない。
【００６７】
また、図７に示すように、これらの画像修正の指示の表示をＯＮ／ＯＦＦまたは半透明表示ができるので作業指示が確実で作業しやすい。
【００６８】
この画像修正の指示が終了すると、受発注サーバ２へ配信するが、ユーザ端末３でのレスポンス画面１１には、図８に示すように、画像修正の指示に応じた費用と、画像修正の合計費用の見積もりが表示される。ユーザは、ユーザ端末３のレスポンス画面１１によって画像修正の指示毎に修正見積金額を表示することで、画像修正の費用を簡単且つ確実に知ることができる。
【００６９】
この図４乃至図７に示す画面表示は、受発注管理者端末５及び作業者端末４から見ることができるが、図８の画面表示は、作業者端末４からは見ることができないようになっている。
【００７０】
次に、図９及び図１０に基づいて、受発注管理者端末５から受発注サーバ２を介して行なう画像修正の指示別に画像を切り分けて修正を発注する実施の形態を説明する。
【００７１】
受発注管理者端末５では、受発注サーバ２を介して図９に示すように、例えば各ユーザ端末３から画像修正注文ＮＯ．１００、画像修正注文ＮＯ．１０１、画像修正注文ＮＯ．１０２の受付を行ない、修正項目別に集計し、修正作業者に振り分ける。
【００７２】
図１０の受発注管理者端末５の発注管理画面４０には、修正作業者別に振り分け情報が表示される。例えば、赤目修正だけを、赤目修正の得意な作業者に割り当て、切り抜きを切り抜き修正の得意な作業者に割り当て、あるいは除去を除去修正の得意な作業者に割り当ることで、効率が上がる。
【００７３】
この発注管理画面４０では、カーソル４１をクリックすると個別の画像修正注文ＮＯ１００、画像修正注文ＮＯ１０１、画像修正注文ＮＯ１０２が順に表示される。
【００７４】
このように、画像修正の指示別に画像を切り分けて修正を発注することで、受注作業者の処理能力や熟練度等に応じて発注することができる。
【００７５】
図１１は受発注管理者端末５の切り分け管理画面４２を示し、例えばパーツ４２ａ，４２ｂ，４２ｃに切り分けて画像修正の指示別に画像を切り分けて修正を発注する。
【００７６】
この図９乃至図１１に示す画像修正の指示別に画像を切り分けて修正を発注する実施の形態に限らず、通信環境が悪い場合等には同じ作業者端末４に１つの画像をパーツに切り分けて配信するようにしてもよい。
【００７７】
次に、図１２に示す作業者端末４の作業画面について説明する。この実施の形態は、赤目修正時の作業画面４４を示し、中央に実際の作業画面４４ａ、左側に修正前の画面４４ｂ、右側に修正後の画面４４ｃを有する。
【００７８】
修正前の画面４４ｂには、例えば修正前の顔だけ切り抜かれた画像が配信されると、注文番号と納期が表示される。実際の作業画面４４ａには、修正する画像と注文番号と納期が表示され、さらに画像修正の指示が表示される。指示が「青い瞳にする」であると、ペイント用ブラシカーソル４５を用いて作業を行なう。
この実際の作業画面４４ａには、画像のズーム機能４６が付いている。修正後の画面４４ｃには、画像修正が終了した画像と注文番号が移される。
【００７９】
このように修正の作業画面に、納期、修正前画像、修正後画像が同時に表示される。
【００８０】
次に、図１３乃至図１６に基づいて受発注管理者端末５での管理について説明する。
【００８１】
受発注管理者端末５には、図１３に示すように管理者画面に画像修正の種類別に修正の進行状況を表示する作業別進行表５０が表示される。作業別進行表５０では、作業完了はＯＫ、注文のあるものは「○」、注文のないものは「／」で示し、修正が完了したものは「完了」、完了していないものは「未」で示し、注文ＮＯ．のクリックによってレイヤーで管理者が確認し、完了したものは次工程へ移ることができる。このように、画像修正の種類別に修正の進行状況を表示することで、進行状況に応じた発注を行なうことができる。
【００８２】
図１４及び図１５は管理者の修正確認画面を示し、修正別に別々に発注した修正を合成して、チェックすることができる。この実施の形態では、図１５に示すように、画像修正の指示のレイヤー６０、修正後の画像のレイヤー６１、元の画像のレイヤー６２があり、それぞれにタグ６０ａ，６１ａ，６２ａを有している。このタグ６０ａ，６１ａ，６２ａの少なくとも１つを、クリックすることで、表示、非表示、半透明表示の少なくとも２つの状態に切り替え可能にして表示することができ、画像修正の指示が容易にでき、かつ画像修正が指示通りか確認しやすく、画像修正のチェック漏れがないようにすることができる。
【００８３】
例えば、画像修正の指示のレイヤー６０と修正後の画像のレイヤー６１を表示して修正が不満足なできであればその修正だけをやり直させることができる。この修正後の画像のレイヤー６１は、修正箇所の数だけレイヤーがあることが望ましい。レイヤ番号と修正番号（名称）は１対１に対応していることが望ましい。
また、画像修正の指示のレイヤー６０、修正後の画像のレイヤー６１、元の画像のレイヤー６２は、それぞれのレイヤーのＯＮ／ＯＦＦ／半透明を個別に指示できる。
【００８４】
この管理者の修正確認画面は、ユーザ端末３に配信してユーザが確認するようにしてもよく、この確認画面は、レイヤーがあると、特殊な表示ソフトウェアが必要だったり、ファイルサイズが大きくなったりするので、レイヤーのない画像を生成・圧縮して送付または表示させるのが望ましい。
【００８５】
【発明の効果】
前記したように、請求項１及び請求項９に記載の発明では、画像編集画面上で画像修正の指示を行ない、この画像編集画面上での画像修正の指示に基づき画像修正を行なうことで、画像修正の指示が容易にでき、かつ画像修正が指示通りか確認しやすく、画像修正のチェック漏れがない。
【００８６】
請求項２及び請求項１０に記載の発明では、画像修正の指示が画像上の別のレイヤーに書き込まれることで、画像修正の指示が容易にでき、かつ画像修正が指示通りか確認しやすく、画像修正のチェック漏れがない。
【００８７】
請求項３及び請求項１１に記載の発明では、画像修正の指示が文字入力によることで、画像修正の指示が容易にできる。
【００８８】
請求項４及び請求項１２に記載の発明では、画像修正の指示がメニュー選択によることで、画像修正の指示が容易にできる。
【００８９】
請求項５及び請求項１３に記載の発明では、画像修正の指示別に画像を切り分けて修正を発注することで、受注作業者の処理能力や熟練度等に応じて発注することができる。
【００９０】
請求項６及び請求項１４に記載の発明では、画像修正の指示毎に修正見積金額を表示することで、画像修正の費用を簡単且つ確実に知ることができる。
【００９１】
請求項７及び請求項１５に記載の発明では、画像修正の種類別に修正の進行状況を表示することで、進行状況に応じた発注を行なうことができる。
【００９２】
請求項８及び請求項１６に記載の発明では、画像修正に関するレイヤーを、表示、非表示、半透明表示の少なくとも２つの状態に切り替え可能にして表示することで、画像修正の指示が容易にでき、かつ画像修正が指示通りか確認しやすく、画像修正のチェック漏れがない。
【図面の簡単な説明】
【図１】受発注システムを示す図である。
【図２】受発注方法を実行するフローチャートである。
【図３】ユーザ端末側、作業者端末側、受発注サーバ側間の情報の授受を示す図である。
【図４】画像編集画面上で画像修正の指示の実施の形態を示す図である。
【図５】画像編集画面上で画像修正の指示の実施の形態を示す図である。
【図６】画像編集画面上で画像修正の指示の実施の形態を示す図である。
【図７】画像編集画面上で画像修正の指示の実施の形態を示す図である。
【図８】画像編集画面上で画像修正の指示の実施の形態を示す図である。
【図９】修正項目別に集計して修正作業者に振り分ける実施の形態を説明する図である。
【図１０】受発注管理者端末の発注管理画面を示す図である。
【図１１】受発注管理者端末の切り分け管理画面を示す図である。
【図１２】作業者端末の作業画面を示す図である。
【図１３】管理者画面の作業別進行表を示す図である。
【図１４】修正確認画面を示す図である。
【図１５】合成画面を示す図である。
【符号の説明】
１  ネットワーク
２  受発注サーバ
３  ユーザ端末
４  作業者端末
５  受発注管理者端末
１０ａ  写真画像
１０ｂ  目標修正画像
４０  発注管理画面
４２  切り分け管理画面
４４  赤目修正時の作業画面
５０  作業別進行表
６０  画像修正の指示のレイヤー
６１  修正後の画像のレイヤー
６２  元の画像のレイヤー
【図１】
2004266308.tif 000003
【図２】
2004266308.tif 000004
【図３】
2004266308.tif 000005
【図４】
2004266308.tif 000006
【図５】
2004266308.tif 000007
【図６】
2004266308.tif 000008
【図７】
2004266308.tif 000009
【図８】
2004266308.tif 000010
【図９】
2004266308.tif 000011
【図１０】
2004266308.tif 000012
【図１１】
2004266308.tif 000013
【図１２】
2004266308.tif 000014
【図１３】
2004266308.tif 000015
【図１４】
2004266308.tif 000016
【図１５】
2004266308.tif 000017